【事件の表示】
　特許第３１６５９２９号「光学的熱転写書込み装置」の請求項１ないし８に係る特許に対する特許異議の申立てについて、次のとおり決定する。
【結　論】
　訂正を認める。
　特許第３１６５９２９号の請求項１ないし７に係る特許を取り消す。
【理　由】
１．手続の経緯
　特許第３１６５９２９号の請求項１ないし８に係る発明についての出願は、平成４年４月３日の出願であって、平成１３年３月９日にその特許権の設定登録がなされ、その後、加藤虎男より特許異議の申立てがなされ、取消しの理由が通知され、その指定期間内である平成１４年４月１５日に訂正請求がなされ、再度の取消しの理由が通知されたが、特許権者からは何らの応答もないものである。
　
２．訂正の適否についての判断
（１）訂正の内容
ア．訂正事項ａ
　特許請求の範囲の記載について、
「【請求項１】　熱転写供与媒体及び熱転写受容媒体の補給手段、熱転写供与媒体及び熱転写受容媒体の保持部分、熱転写供与媒体及び熱転写受容媒体の保持手段、熱転写供与媒体及び熱転写受容媒体を密着させるための密着手段ならびに熱転写供与媒体及び熱転写受容媒体に対して画像情報に応じた情報を光学的に書き込む書込み手段を有する光学的熱転写書込み装置において、前記熱転写供与媒体及び熱転写受容媒体の少なくとも一方がクッション層を有し、かつ前記密着手段が減圧吸引、静電力、粘着力及び圧力ロールによる密着から選ばれる少なくとも１手段による圧着であることを特徴とする光学的熱転写書込み装置。
　【請求項２】　熱転写供与媒体用の補給部分が少なくともイエロー、マゼンタ及びシアン熱転写供与媒体用の３箇所又はこれにブラック熱転写供与媒体用を加えた４箇所設けられることを特徴とする請求項１記載の光学的熱転写書込み装置。
　【請求項３】　熱転写供与媒体及び熱転写受容媒体の保持部分が円筒ドラム又は平板状であることを特徴とする請求項１記載の光学的熱転写書込み装置。
　【請求項４】　圧力ロールの押付け圧が１ｋｇ／ｃｍ以上であることを特徴とする請求項１記載の光学的熱転写書込み装置。
　【請求項５】　圧力ロールがゴム硬度で４０度以上の弾性体であることを特徴とする請求項１記載の光学的熱転写書込み装置。
　【請求項６】　圧力ロールが密着時に４０〜１５０℃に加熱されていることを特徴とする請求項１記載の光学的熱転写書込み装置。
　【請求項７】　熱転写供与媒体と熱転写受容媒体を密着させるための密着手段が減圧吸引及び圧力ロールの併用による手段であって、熱転写供与媒体を熱転写受容媒体上に補給・保持・密着するに際して、熱転写供与媒体が新たに保持部に直接接触する部分において圧力ロールが保持部に押し当てられていることを特徴とする請求項１記載の光学的熱転写書込み装置。
　【請求項８】　熱転写供与媒体と熱転写受容媒体を密着させるための密着手段が減圧吸引及び圧力ロールの併用による手段であって、熱転写供与媒体を熱転写受容媒体上に補給・保持・密着するに際して、熱転写供与媒体が新たに保持部に直接接触する部分において保持部の減圧孔が開くことを特徴とする請求項１記載の光学的熱転写書込み装置。」
とあるのを、
「【請求項１】　熱転写供与媒体及び熱転写受容媒体の補給手段、熱転写供与媒体及び熱転写受容媒体の保持部分、熱転写供与媒体及び熱転写受容媒体の保持手段、熱転写供与媒体及び熱転写受容媒体を密着させるための密着手段ならびに熱転写供与媒体及び熱転写受容媒体に対して画像情報に応じた情報を光学的に書き込む書込み手段を有する光学的熱転写書込み装置において、前記保持部分が円筒ドラムであり、前記熱転写供与媒体が熱転写受容媒体よりも円筒ドラムの軸方向に対して幅が広く、前記熱転写供与媒体及び熱転写受容媒体の少なくとも一方がクッション層を有し、かつ前記密着手段が減圧吸引、静電力、粘着力及び圧力ロールによる密着から選ばれる少なくとも１手段による圧着であることを特徴とする光学的熱転写書込み装置。
　【請求項２】　熱転写供与媒体用の補給部分が少なくともイエロー、マゼンタ及びシアン熱転写供与媒体用の３箇所又はこれにブラック熱転写供与媒体用を加えた４箇所設けられることを特徴とする請求項１記載の光学的熱転写書込み装置。
　【請求項３】　圧力ロールの押付け圧が１ｋｇ／ｃｍ以上であることを特徴とする請求項１記載の光学的熱転写書込み装置。
　【請求項４】　圧力ロールがゴム硬度で４０度以上の弾性体であることを特徴とする請求項１記載の光学的熱転写書込み装置。
　【請求項５】　圧力ロールが密着時に４０〜１５０℃に加熱されていることを特徴とする請求項１記載の光学的熱転写書込み装置。
　【請求項６】　熱転写供与媒体と熱転写受容媒体を密着させるための密着手段が減圧吸引及び圧力ロールの併用による手段であって、熱転写供与媒体を熱転写受容媒体上に補給・保持・密着するに際して、熱転写供与媒体が新たに保持部に直接接触する部分において圧力ロールが保持部に押し当てられていることを特徴とする請求項１記載の光学的熱転写書込み装置。
　【請求項７】　熱転写供与媒体と熱転写受容媒体を密着させるための密着手段が減圧吸引及び圧力ロールの併用による手段であって、熱転写供与媒体を熱転写受容媒体上に補給・保持・密着するに際して、熱転写供与媒体が新たに保持部に直接接触する部分において保持部の減圧孔が開くことを特徴とする請求項１記載の光学的熱転写書込み装置。」
と訂正する。
イ．訂正事項ｂ
　訂正前の明細書の段落【００１７】を削除する。
ウ．訂正事項ｃ
　明細書の段落【００２０】の（４）を（３）に訂正する。
エ．訂正事項ｄ
　明細書の段落【００２１】の（５）を（４）に訂正する。
オ．訂正事項ｅ
　明細書の段落【００２２】の（６）を（５）に訂正する。
カ．訂正事項ｆ
　明細書の段落【００２３】の（７）を（６）に訂正する。
キ．訂正事項ｇ
　明細書の段落【００２４】の（８）を（７）に訂正する。
　
（２）訂正の適否、新規事項の有無、及び特許請求の範囲の拡張・変更の存否
　上記訂正事項に関連する記載として、願書に添付した明細書には、「図３は、本発明の保持部分が円筒ドラムの場合の熱転写供与媒体と熱転写受容媒体の重ね合せを示す斜視図」（段落【００５２】）、「熱転写受容媒体４の保持の際には、減圧孔２は保持部分の移動と同期して開閉してもよいし、しなくてもよい。又、圧力ロール１が保持部分７に押し付けられない状態で保持が行われてもよい。ただし、熱転写受容媒体４の幅より外側部分の減圧孔２は閉じていることが好ましい。・・・熱転写受容媒体４が全て保持部分７上に保持されたら、熱転写供与媒体３が熱転写供与媒体補給手段５より駆動ロールによって繰り出され、保持部分７の所定の位置まで搬送される。・・・次に、圧力ロール１が保持部分７に向かって押し付けられ、熱転写供与媒体３の先端を鋏む。保持部分７の圧力ロール１近傍に開けられた減圧孔が開き、熱転写供与媒体３の先端を保持する。・・・保持部分７が動き出し、熱転写供与媒体３を保持部分７上に順次保持していしに従い、同時に圧力ロール１の下近傍に位置する減圧孔が開き、熱転写供与媒体３の保持を確実にしていく。・・・圧力ロール１による圧着と減圧孔２による減圧が同期しているため、熱転写受容媒体４と熱転写供与媒体３の間に挟まった空気を圧力ロール１が押し出しながら、かつ局所的に開いた減圧孔２−１によって強く減圧され、有効に熱転写受容媒体４と熱転写供与媒体３の密着が図られる。」（段落【００５５】〜【００６０】）と記載されており、上記記載と、図３から、熱転写供与媒体が熱転写受容媒体よりも円筒ドラムの軸方向に対して幅が広いことは明らかである。
　
（２−１）訂正事項ａについて
　上記訂正事項ａは、願書に添付した明細書に記載された事項の範囲内において、「保持部分が円筒ドラムであり、熱転写供与媒体が熱転写受容媒体よりも円筒ドラムの軸方向に対して幅が広い」ことに技術的に限定したものであり、訂正前の請求項４ないし８を訂正前の請求項３が削除されたことに伴い、訂正後の請求項３ないし７としたものであるから、特許請求の範囲の減縮及び明りょうでない記載の釈明を目的とした明細書の訂正に該当する。
（２−２）訂正事項ｂ〜ｇについて
　上記訂正事項ｂ〜ｇは、訂正前の請求項３を削除したことに伴い、上記訂正事項ａと整合を図るものであるから、明りょうでない記載の釈明を目的とした明細書の訂正に該当する。
　
　よって、訂正事項ａ〜ｇのいずれも新規事項の追加に該当せず、実質的に特許請求の範囲を拡張または変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申立についての判断
（１）申立の理由の概要
　異議申立人加藤虎男は、本件特許に対して、証拠として、甲第１号証（角田勝彦，“ＤＤＣＰ最前線（２）”，「印刷雑誌」，印刷学会出版部，平成２年９月１５日，第７３巻，第９号，ｐ．３−１１）、甲第２号証（「Ｄｕｎｎ　Ｒｅｐｏｒｔ　Ｅｌｅｃｔｒｏｎｉｃ　Ｐｕｂｌｉｓｈｉｎｇ　＆　Ｐｒｅｐｒｅｓｓ　Ｓｙｓｔｅｍｓ」，ＤＵＮＮ　ＴＥＣＨＮＯＬＯＧＹ　ＩＮＣ．，１９９０年４月，Ｖｏｌ．８，Ｎｏ．４Ａ，ｐ．１−３６）、甲第３号証（米国特許第５０５３７９１号明細書）、甲第４号証（特開昭６２−２４０５８８号公報）、甲第５号証（特開平１−２２８８８９号公報）、甲第６号証（特開昭６２−２３０８７２号公報）、甲第７号証（特開昭５９−２２５９８５号公報）を提出し、
　請求項１ないし５、７、８に係る発明の特許は、甲第１号証、甲第３号証、甲第４号証に記載された発明に基づいて当業者が容易に発明をすることができたものであるから、特許法第２９条第２項の規定により特許を受けることができないものであり、請求項６に係る発明の特許は、甲第１号証、甲第３号証、甲第４号証、甲第７号証に記載された発明に基づいて当業者が容易に発明をすることができたものであるから、特許法第２９条第２項の規定により特許を受けることができないものであり、請求項１ないし８に係る発明の特許は、拒絶の査定をしなければならない特許出願に対してされたものであると主張している。
　
（２）本件発明及び判断
　上記２．で示したように上記訂正が認められるから、特許第３１６５９２９号の請求項１ないし７に係る発明は、上記訂正に係る訂正明細書の特許請求の範囲の請求項１ないし７に記載されたとおりのものである
　これに対して、平成１４年６月２０日付けで取消しの理由を通知し、期間を指定して意見書を提出する機会を与えたが、特許権者からは何らの応答もない。
　そして、上記の取消しの理由は妥当なものと認められるので、本件特許は、この取消しの理由によって取り消すべきものである。
　
４．むすび
　したがって、本件請求項１ないし７に係る発明についての特許は、拒絶の査定をしなければならない特許出願に対してされたものと認める。
　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１０月１５日（２００２．１０．１５）
【訂正の要旨】
訂正の要旨
　本件訂正は、特許請求の範囲の減縮、特許請求の範囲及び発明の詳細な説明の明りょうでない記載の釈明を目的として、願書に添付した明細書の記載を以下のア〜キのように訂正するものである。
ア．特許請求の範囲の記載について、
「【請求項１】　熱転写供与媒体及び熱転写受容媒体の補給手段、熱転写供与媒体及び熱転写受容媒体の保持部分、熱転写供与媒体及び熱転写受容媒体の保持手段、熱転写供与媒体及び熱転写受容媒体を密着させるための密着手段ならびに熱転写供与媒体及び熱転写受容媒体に対して画像情報に応じた情報を光学的に書き込む書込み手段を有する光学的熱転写書込み装置において、前記保持部分が円筒ドラムであり、前記熱転写供与媒体が熱転写受容媒体よりも円筒ドラムの軸方向に対して幅が広く、前記熱転写供与媒体及び熱転写受容媒体の少なくとも一方がクッション層を有し、かつ前記密着手段が減圧吸引、静電力、粘着力及び圧力ロールによる密着から選ばれる少なくとも１手段による圧着であることを特徴とする光学的熱転写書込み装置。
　【請求項２】　熱転写供与媒体用の補給部分が少なくともイエロー、マゼンタ及びシアン熱転写供与媒体用の３箇所又はこれにブラック熱転写供与媒体用を加えた４箇所設けられることを特徴とする請求項１記載の光学的熱転写書込み装置。
　【請求項３】　圧力ロールの押付け圧が１ｋｇ／ｃｍ以上であることを特徴とする請求項１記載の光学的熱転写書込み装置。
　【請求項４】　圧力ロールがゴム硬度で４０度以上の弾性体であることを特徴とする請求項１記載の光学的熱転写書込み装置。
　【請求項５】　圧力ロールが密着時に４０〜１５０℃に加熱されていることを特徴とする請求項１記載の光学的熱転写書込み装置。
　【請求項６】　熱転写供与媒体と熱転写受容媒体を密着させるための密着手段が減圧吸引及び圧力ロールの併用による手段であって、熱転写供与媒体を熱転写受容媒体上に補給・保持・密着するに際して、熱転写供与媒体が新たに保持部に直接接触する部分において圧力ロールが保持部に押し当てられていることを特徴とする請求項１記載の光学的熱転写書込み装置。
　【請求項７】　熱転写供与媒体と熱転写受容媒体を密着させるための密着手段が減圧吸引及び圧力ロールの併用による手段であって、熱転写供与媒体を熱転写受容媒体上に補給・保持・密着するに際して、熱転写供与媒体が新たに保持部に直接接触する部分において保持部の減圧孔が開くことを特徴とする請求項１記載の光学的熱転写書込み装置。」
と訂正する。
イ．訂正前の明細書の段落【００１７】を削除する。
ウ．明細書の段落【００２０】の（４）を（３）に訂正する。
エ．明細書の段落【００２１】の（５）を（４）に訂正する。
オ．明細書の段落【００２２】の（６）を（５）に訂正する。
カ．明細書の段落【００２３】の（７）を（６）に訂正する。
キ．明細書の段落【００２４】の（８）を（７）に訂正する。
（５４）【発明の名称】
光学的熱転写書込み装置
（５７）【特許請求の範囲】
　【請求項１】　熱転写供与媒体及び熱転写受容媒体の補給手段、熱転写供与媒体及び熱転写受容媒体の保持部分、熱転写供与媒体及び熱転写受容媒体の保持手段、熱転写供与媒体及び熱転写受容媒体を密着させるための密着手段ならびに熱転写供与媒体及び熱転写受容媒体に対して画像情報に応じた情報を光学的に書き込む書込み手段を有する光学的熱転写書込み装置において、
前記保持部分が円筒ドラムであり、前記熱転写供与媒体が熱転写受容媒体よりも円筒ドラムの軸方向に対して幅が広く、
　【請求項２】　熱転写供与媒体用の補給部分が少なくともイエロー、マゼンタ及びシアン熱転写供与媒体用の３箇所又はこれにブラック熱転写供与媒体用を加えた４箇所設けられることを特徴とする請求項１記載の光学的熱転写書込み装置。
　【請求項３】　圧力ロールの押付け圧が１ｋｇ／ｃｍ以上であることを特徴とする請求項１記載の光学的熱転写書込み装置。
　【請求項４】　圧力ロールがゴム硬度で４０度以上の弾性体であることを特徴とする請求項１記載の光学的熱転写書込み装置。
　【請求項５】　圧力ロールが密着時に４０〜１５０℃に加熱されていることを特徴とする請求項１記載の光学的熱転写書込み装置。
　【請求項６】　熱転写供与媒体と熱転写受容媒体を密着させるための密着手段が減圧吸引及び圧力ロールの併用による手段であって、熱転写供与媒体を熱転写受容媒体上に補給・保持・密着するに際して、熱転写供与媒体が新たに保持部に直接接触する部分において圧力ロールが保持部に押し当てられていることを特徴とする請求項１記載の光学的熱転写書込み装置。
　【請求項７】　熱転写供与媒体と熱転写受容媒体を密着させるための密着手段が減圧吸引及び圧力ロールの併用による手段であって、熱転写供与媒体を熱転写受容媒体上に補給・保持・密着するに際して、熱転写供与媒体が新たに保持部に直接接触する部分において保持部の減圧孔が開くことを特徴とする請求項１記載の光学的熱転写書込み装置。
【発明の詳細な説明】
　【０００１】
　【産業上の利用分野】
　本発明は光学的熱転写書き込み装置に関し、特にデジタル画像情報をドライ処理で得るのに適した光学的熱転写書込み装置に関する。
　【０００２】
　【従来の技術】
　従来、熱転写記録方法として、サーマルヘッドによる加圧・加熱方式が知られている。この方式は、騒音が少なく、簡単な機構の装置で実施でき、メンテナンスフリー、ドライ処理など優れた特長を有するので、サーマルヘッドの高密度化（近年では４００〜６００ｄｐｉの解像度）と相俟って実用化されてきた。
　【０００３】
　しかしながら、サーマルヘッドの高密度化もこれ以上は困難であり、又、画像形成についてはヘッド走査単位となるため、時間が掛かるという欠点があった。
　【０００４】
　一方、高解像度の画像を記録できる方式として、レーザービームを熱転写供与媒体に照射し、供与媒体中で前記レーザービームを熱に変換し、その熱により熱転写記録を行う方式が知られている。この方式ではエネルギー供給に使用されるレーザー光を数μ程度にまで集光できるので、サーマルヘッドで熱を供給する方法に比べて飛躍的な解像度の向上が可能になる。
　【０００５】
　このレーザー熱転写記録方式においては、熱転写供与媒体と熱転写受容媒体（以下、「供与媒体」、「受容媒体」と略すこともある）との密着性が画像の解像力に大きな影響を与えるので、特に高解像度の画像を得るには、如何にして密着性を高めるかが問題になっている。
　【０００６】
　レーザー熱転写記録方式において平面走査を行う場合には、透明な押圧部材を供与媒体と受容媒体との積層体の上に被せることにより、両者間の密着性を向上することもできる。
　【０００７】
　しかしながら、高速記録及び光学系のスペースを小さくするために円筒状ドラムの表面に供与媒体と受容媒体とを重ねて巻き、供与媒体にレーザー光を走査して画像記録を行う場合には、円筒状ドラム上におけるレーザー光の照射領域だけを押圧すると、円筒状ドラムを高速回転させた際に供与媒体と受容媒体とを均一に密着させられず、部分的な密着しか得られない。これを防ぐために円筒状ドラムに捲回した供与媒体と受容媒体とにカバーシートを装着し、カバーシートの張力によって供与媒体と受容媒体との密着状態を達成せんとする方法がある。この方法は、大面積を押圧するという点では有力であるが、供与媒体と状態をとの完全な密着を達成することは困難であり、高品質の転写画像を得ることはできない。
　【０００８】
　そこで、銀塩写真感材を使用したスキャナー等では、貫通孔を有する円筒状ドラムの内部を排気することにより円筒状ドラムの外周面に装着する部材と円筒状ドラム外周面との密着性を高めているので、この技術を応用して多数の貫通孔を有する円筒状ドラムに受容媒体と供与媒体とを捲回し、円筒状ドラム内を減圧にして受容媒体と供与媒体との密着性を向上させることが検討された。
　【０００９】
　例えば米国特許５，０５３，７９１号には、減圧ドラムの減圧系統を二つに分け、供与媒体と受容媒体を別々に減圧することにより、しっかり密着させる技術が開示されている。しかしながら、この方法は減圧ドラムの中空構造を２分割するため構造的に複雑となり、又、減圧孔が一様に減圧を行うため媒体が巻き付けられていない部分から空気洩れがあり、有効な減圧ができない。
　【００１０】
　又、実開昭６３−８７０３１号にも類似技術が開示されているが、上記と同様の理由から有効な減圧が難かしい。
　【００１１】
　【発明の目的】
　従って本発明の目的は、熱転写供与媒体と熱転写受容媒体が均一に密着され、むらの無い良好な転写画像が得られる光学的熱転写書込み装置を提供することにある。
　【００１２】
　【発明の構成】
　本発明の上記目的は、下記構成によって達成される。
　【００１３】
　（１）熱転写供与媒体及び熱転写受容媒体の補給手段、熱転写供与媒体及び熱転写受容媒体の保持部分、熱転写供与媒体及び熱転写受容媒体の保持手段、熱転写供与媒体及び熱転写受容媒体を密着させるための密着手段ならびに熱転写供与媒体及び熱転写受容媒体に対して画像情報に応じた情報を光学的に書き込む書込み手段を有する光学的熱転写書込み装置において、前記熱転写供与媒体及び熱転写受容媒体の少なくとも一方がクッション層を有し、かつ前記密着手段が減圧吸引、静電力、粘着力及び圧力ロールによる密着から選ばれる少なくとも１手段による圧着であることを特徴とする光学的熱転写書込み装置。
　【００１４】
　【００１５】
　【００１６】
　（２）熱転写供与媒体用の補給部分が少なくともイエロー、マゼンタ及びシアン熱転写供与媒体用の３箇所又はこれにブラック熱転写供与媒体用を加えた４箇所設けられることを特徴とする（１）記載の光学的熱転写書込み装置。
　【００１７】
　【００１８】
　【００１９】
　【００２０】
　（３）圧力ロールの押付け圧が１ｋｇ／ｃｍ以上であることを特徴とする（１）記載の光学的熱転写書込み装置。
　【００２１】
　（４）圧力ロールがゴム硬度で４０度以上の弾性体であることを特徴とする（１）記載の光学的熱転写書込み装置。
　【００２２】
　（５）圧力ロールが密着時に４０〜１５０℃に加熱されていることを特徴とする（１）記載の光学的熱転写書込み装置。
　【００２３】
　（６）熱転写供与媒体と熱転写受容媒体を密着させるための密着手段が減圧吸引及び圧力ロールの併用による手段であって、熱転写供与媒体を熱転写受容媒体上に補給・保持・密着するに際して、熱転写供与媒体が新たに保持部に直接接触する部分において圧力ロールが保持部に押し当てられていることを特徴とする（１）記載の光学的熱転写書込み装置。
　【００２４】
　（７）熱転写供与媒体と熱転写受容媒体を密着させるための密着手段が減圧吸引及び圧力ロールの併用による手段であって、熱転写供与媒体を熱転写受容媒体上に補給・保持・密着するに際して、熱転写供与媒体が新たに保持部に直接接触する部分において保持部の減圧孔が開くことを特徴とする（１）記載の光学的熱転写書込み装置。
　【００２５】
　以下、本発明をより詳細に説明する。
　【００２６】
　まず、本発明の装置で使用される熱転写供与媒体及び熱転写受容媒体（以下、単に「供与媒体」及び「受容媒体」ともいう）について説明する。
　【００２７】
　熱転写供与媒体は、支持体上に熱溶融性インク層を少なくとも積層してなる構造を有すると共に、像様に照射される光を熱に変換する機能を有し、場合によっては支持体の熱溶融性インク層を設けた反対側の表面にバッキング層を設けてもよく、支持体と熱溶融性インク層との間に剥離層を設けてもよい。又、支持体と熱溶融性インク層との間にクッション層を設けてもよく、この場合、剥離層をクッション層と熱溶融性インク層との間に設けることができる。（図１（ａ）参照）像様に照射される光を熱に変換する機能は、例えば光熱変換物質を熱溶融性インク層に含有させることにより、又は熱溶融性インク層に隣接して光熱変換物質を含有する光熱変換層を設けることにより実現できる。
　【００２８】
　支持体としては、寸法安定性が良く、画像形成の際の熱に耐えるものならば何でもよく、具体的には特開昭６３−１９３８８６号２頁左下欄１２〜１８行に記載のフィルム又はシートを使用することができる。又、レーザー光を熱転写供与媒体側から照射して画像を形成するのであれば、熱転写供与媒体の支持体は透明であることが望ましい。レーザー光を熱転写受容媒体側から照射して画像を形成するのであれば、熱転写供与媒体の支持体は透明である必要はない。
　【００２９】
　支持体の厚さは特に制約はないが、通常２〜３００μｍ、好ましくは５〜２００μｍである。
　【００３０】
　支持体の裏面（熱溶融性インク層を設けた表面とは反対側の面）には、走行安定性、耐熱性、帯電防止等の機能を付与するために、バッキング層を設けることができる。バッキング層は、例えばニトロセルロース等の樹脂を溶媒中に溶解した或はバインダー樹脂と２０〜３０μｍの微粒子を溶媒中に溶解又は分散したバッキング層塗工液を、支持体表面に塗工することにより形成できる。
　【００３１】
　クッション層は供与媒体と受容媒体との密着を増す目的で設けてもよく、前記支持体自体にクッション性が付与されていてもよい。このクッション層は必須の層ではない。
　【００３２】
　光熱変換層は熱溶融性インク層に隣接して設けることができる。前述のように熱溶融性インク層中に光熱変換物質を含有させることもできる。この光熱変換層は特に設けなくてもよい。
　【００３３】
　光熱変換物質を使用する場合、光源によっても異なるが、光を吸収し効率良く熱に変換する物質がよく、例えば半導体レーザーを光源として使用する場合、近赤外に吸収体を有する物質が好ましく、具体的にはカーボンブラック、グラファイト、フタロシアニン系色素、スクアリリウム系色素、ニトロソ化合物及びその金属錯塩、ポリメチン系色素、チオールニッケル塩、トリアリールメタン系色素、インモニウム系色素、ナフトキノン系色素、アントラセン系色素等を用いることができる。具体的には特開昭６３−１３９１９１号、特開平３−１０３４７６号等に記載の化合物が挙げられる。
　【００３４】
　光熱変換層におけるバインダーとしては、ガラス転移点が高く熱伝導率の高い樹脂、例えばポリメタクリル酸メチル、ポリカーボネート、ポリスチレン、エチルセルロース、ニトロセルロース、ポリビニルアルコール、ポリ塩化ビニル、ポリアミド、ポリイミド、ポリエーテルイミド、ポリスルホン、ポリエーテルスルホン、アラミド等の一般的な耐熱性樹脂を使用することができる。
　【００３５】
　この光熱変換層の膜厚は０．１〜３μｍが好ましく、光熱変換層における光熱転換物質の含有量は、通常、画像記録に用いる光源の波長での吸光度が０．３〜３．０になるように決めることができる。
　【００３６】
　光熱変換層としては、この他にも蒸着膜として形成することも可能であり、カーボンブラック、特開昭５２−２０８４２号に記載の金、銀、アルミニウム、クロム、ニッケル、アンチモン、テルル、ビスマス、セレン等のメタルブラックの蒸着層等を挙げることができる。なお、光熱変換物質はインク層の色材そのものでもよく、又、上記のものに限定されず、様々な物質が使用できる。
　【００３７】
　熱溶融性インク層とは、加熱時に溶融又は軟化して色材とバインダー等を含有する層毎転写可能であるインク層を意味し、完全な溶融状態で転写しなくてもよい。
　【００３８】
　上記色材としては、例えば無機顔料及び有機顔料などの顔料ならびに染料を挙げることができる。
　【００３９】
　無機顔料としては、二酸化チタン、カーボンブラック、酸化亜鉛、プルシアンブルー、硫化カドミウム、酸化鉄ならびに鉛、亜鉛、バリウム及びカルシウムのクロム酸塩等が挙げられる。
　【００４０】
　有機顔料としては、アゾ系、チオインジゴ系、アントラキノン系、アントアンスロン系、トリフェンジオキサジン系の顔料、バット染料顔料、フタロシアニン顔料（例えば銅フタロシアニン）及びその誘導体、キナクリドン顔料などが挙げられる。
　【００４１】
　又、有機染料としては、酸性染料、直接染料、分散染料、油溶性染料、含金属油溶性染料又は昇華性色素等が挙げられる。
　【００４２】
　昇華性色素としては、従来から公知の昇華性色素を用いることができる。なお、本発明においては、昇華性色素と言う時、これは熱昇華性色素を含む。この昇華性色素としては、例えばシアン色素、マゼンタ色素、イエロー色素を挙げることができる。熱溶融性インク層に含有される昇華性色素は、形成しようとする画像が単色であるならば、イエロー色素、マゼンタ色素及びシアン色素の何れであってもよい。
　【００４３】
　熱溶融性インク層における色材の含有率は特に限定されないが、通常５〜７０重量％の範囲内にあり、好ましくは１０〜６０重量％である。
　【００４４】
　前記バインダーとしては、熱溶融性物質、熱軟化性物質、熱可塑性樹脂を挙げることができる。熱溶融性物質は、通常、柳本ＭＪＰ−２型を用いて測定した融点が４０〜１５０℃の範囲内にある固体又は半固体の物質である。
　【００４５】
　次に、熱転写受容媒体について述べる。
　【００４６】
　受容媒体は、前記供与媒体から像様に剥離した熱溶融性インク層を受容して画像を形成する。通常、受容媒体は支持体と受像層とを有し、又、支持体のみから形成されることもある。（図１（ｂ）参照）受容媒体は熱により溶融した熱溶融性インク層が転写されるのであるから、適度の耐熱強度を有すると共に、画像が適正に形成されるよう寸法安定性に優れることが望ましい。
　【００４７】
　受容媒体は、画像形成時に供与媒体と接触する面が良好な平滑性を有するか、又は適度に粗面化してある。更に詳しくは、供与媒体の熱溶融性インク層の表面がマット材等により粗面化されている時には、受容媒体の熱溶融性インク層に接触する面は良好な平滑性を有することが望ましく、又、熱溶融性インク層が粗面化されていない時には、受容媒体の熱溶融性インク層に接触する面はマット材により粗面化されているのが望ましい。又、熱溶融性インク層と受容媒体の接触面が共に粗面化されていてもよい。
　【００４８】
　受像層は、バインダーと必要に応じて添加される各種添加剤や、前記クッション性を付与するための物質とで形成することができる。
　【００４９】
　バインダーとしては、エチレン−塩化ビニル共重合体系接着剤、ポリ酢酸ビニルエマルジョン系接着剤、クロロプレン系接着剤、エポキシ樹脂系接着剤等の接着剤、天然ゴム、クロロプレン系ゴム、ブチルゴム系、ポリブタジエンゴム、ポリアクリル酸エステル系、ニトリルゴム系、ポリサルファイド系、シリコンゴム系、ロジン系樹脂、塩化ビニル系樹脂、石油系樹脂及びアイオノマー樹脂などの粘着剤、再生ゴム、ＳＢＲ、ポリイソプレン、ポリビニルエーテル等を挙げることができる。
　【００５０】
　支持体と受像層との間に介装するクッション層としては、前記供与媒体において説明したクッション層と同様である。
　【００５１】
　なお、支持体とクッション層と受像層を有する受容媒体における支持体の厚み、或は支持体だけで形成された受容媒体における支持体の厚みについては特に制限はない。又、クッション層の厚みは供与媒体におけるクッション層の厚みと同様である。受像層の厚みは通常、０．１〜２０μｍであるが、クッション層を受像層として用いる場合はこの限りではない。
　【００５２】
　【実施例】
　以下、本発明の実施例を図面（図２〜７）に基づいてスキーム順に説明する。図２は本発明の光学的熱転写書込み装置の全体構成図、図３は本発明の保持部分が円筒ドラムの場合の熱転写供与媒体と熱転写受容媒体の重ね合せを示す斜視図、図４は円筒ドラム上での熱転写供与媒体と熱転写受容媒体の密着状態を示す斜視図、図５は保持部分（円筒ドラム）の内部構造を示す断面図、図６は減圧孔の開閉手段の一例を示す断面図、図７は熱転写供与媒体を皺を作らずに円筒ドラムに巻き付ける好ましい一例を示す断面図である。
　【００５３】
　（１）先づ、熱転写受容媒体４が熱転写受容媒体補給手段６より駆動ロールによって繰り出され、保持部分７（円筒ドラムの例を示した）の所定の位置まで搬送される。
　【００５４】
　（２）次に、圧力ロール１が保持部分７に向かって押し付けられ、熱転写受容媒体４の先端を挾む。保持部分７の内部が、別途設置された減圧手段によって減圧を開始され、これと略同時に保持部分７が動くことによって熱転写受容媒体４を保持部分７上に保持していく。
　【００５５】
　熱転写受容媒体４の保持の際には、減圧孔２は保持部分の移動と同期して開閉してもよいし、しなくてもよい。又、圧力ロール１が保持部分７に押し付けられない状態で保持が行われてもよい。ただし、熱転写受容媒体４の幅より外側部分の減圧孔２は閉じていることが好ましい。
　【００５６】
　熱転写受容媒体４は、例えばロールによって供給される場合、必要な長さだけ繰り出された後、所定のカッター機構によってカットされる。
　【００５７】
　（３）熱転写受容媒体４が全て保持部分７上に保持されたら、熱転写供与媒体３が熱転写供与媒体補給手段５より駆動ロールによって繰り出され、保持部分７の所定の位置まで搬送される。
　【００５８】
　（４）次に、圧力ロール１が保持部分７に向かって押し付けられ、熱転写供与媒体３の先端を鋏む。保持部分７の圧力ロール１近傍に開けられた減圧孔が開き、熱転写供与媒体３の先端を保持する。
　【００５９】
　（５）保持部分７が動き出し、熱転写供与媒体３を保持部分７上に順次保持していしに従い、同時に圧力ロール１の下近傍に位置する減圧孔が開き、熱転写供与媒体３の保持を確実にしていく。
　【００６０】
　圧力ロール１による圧着と減圧孔２による減圧が同期しているため、熱転写受容媒体４と熱転写供与媒体３の間に挟まった空気を圧力ロール１が押し出しながら、かつ局所的に開いた減圧孔２−１によって強く減圧され、有効に熱転写受容媒体４と熱転写供与媒体３の密着が図られる。
　【００６１】
　圧力ロール１は、弾性体が巻き付けられていることが好ましく、そのゴム硬度は４０度以上あると均一に密着させる際に有効である。又、圧力ロール１が１ｋｇ／ｃｍ以上の線圧で押し付けられていることが、密着のために有効である。更に、熱転写受容媒体４及び熱転写供与媒体３の少なくとも一方がクッション層を有しており、このクッション層のクッション性が温度によって変化する場合、圧力ロール１が加熱されていることは密着性向上に有効である。
　【００６２】
　（６）熱転写受容媒体４と熱転写供与媒体３の密着が終了すると、保持部分７より圧力ロール１が離され、保持部分７が例えばドラムの場合、高速で回転を開始し、光学的書込み手段８によって別途作成された画像情報に従って露光が行われる。この際、減圧孔カバー１１の接している部分の減圧孔では、不必要に空気が入り減圧度が低下することを防止する。
　【００６３】
　（７）露光が終了すると保持部分７が停止し、熱転写供与媒体３の端部を所定の手段によって保持部分７より剥離する。
　【００６４】
　剥離の際には、必要に応じて保持部分７に剥離角度調整ロールが押し当てられ、このロールを介して熱転写受容媒体４と熱転写供与媒体３が一定の角度で剥離されることが好ましい。又、剥離時には熱転写供与媒体３が直接触れていた減圧孔のみ閉じられ、減圧が遮断されることが好ましい。
　【００６５】
　（８）フルカラー画像を得る場合には、（３）〜（７）のスキームを、イエロー熱転写供与媒体３−１〜ブラック熱転写供与媒体３−４の４色の媒体により繰り返すことによって所望の画像を得ることができる。
　【００６６】
　フルカラー画像を得るためには、イエロー、マゼンタ、シアンの３色のみの転写でもよく、又、必要に応じて上記４色以外の特定色を用いることによって色再現性を向上することも可能である。
　【００６７】
　（９）必要な全ての転写を終え、（７）の工程において最後の熱転写供与媒体３が剥離されたら、次に保持部分の減圧が止められ、熱転写受容媒体４が所定の剥離手段によって剥離され、本体（匡体９）から排出される。
　【００６８】
　（１０）排出された所望の画像が書き込まれた熱転写受容媒体４は、そのまま最終画像として使用してもよいし、更に熱転写受容媒体４と最終的に必要な記録用紙を対向して密着させ、例えば圧力及び熱の少なくとも何れかを加えることによって該記録用紙に再転写することもできる。
　【００６９】
　好ましい実施態様として以下の点に注意が必要である。
　【００７０】
▲１▼　熱転写供与媒体及び熱転写受容媒体の補給手段５、６は、例えばカセット状であって必要に応じて本体（匡体９）にセットされる構造とすることができる。
　【００７１】
▲２▼　複数の色の熱転写供与媒体を必要とする場合、それぞれの単色の熱転写供与媒体３−１〜３−４を用意してもよいし、又、必要な色を面順次に並べた熱転写供与媒体を１種類用意してもよい。
　【００７２】
▲３▼　保持部分７はドラム状、平板状が考えられるが、何れにおいても面精度が十分に高いことが望まれる。面精度が低いと、この面の凹凸が供与媒体と受容媒体との密着を妨げ、画像の転写に悪影響を及ぼす。
　【００７３】
▲４▼　保持手段としては、減圧吸引、静電力、粘着力によるものが考えらる。
　【００７４】
　減圧吸引の場合は、保持部分に減圧孔が設けられ、ここから減圧することによって保持が行える。
　【００７５】
　静電力に依る場合は、保持手段全体に電圧を印加したり、供与媒体又は受容媒体の上からコロナ帯電を行うことなどによって保持が行える。
　【００７６】
　又、粘着力に依る場合は、保持部分上に粘着性の層を設けて置くか、供与媒体及び／又は受容媒体の保持部側の面に粘着層を設けて置くことによって保持が達成される。
　【００７７】
▲５▼　密着手段の内、保持手段と同一のものは、同一の形態で使用できる。密着手段は供与媒体と受容媒体とを重ね合わせた後に、両者を密着させるために必要な手段であり、供与媒体及び受容媒体を保持部分に保持する条件と必ずしも同じ条件では適用できない。
　【００７８】
　圧力ロールによる密着を行う場合は、圧力ロールを保持部分に押し付けることで供与媒体と受容媒体の密着を図ることができる。
　【００７９】
　図７に示すように、供与媒体を一旦ロールに抱かせてからドラムに巻き付けると、供与媒体に皺を作らずドラムに保持できるので好ましい。
　【００８０】
▲６▼　減圧吸引と圧力ロールによる押付けを同時に行うことで保持・密着を行うことは、密着のために有効な手段である。この際、圧力ロールの近傍で順次減圧孔が開いて行くようにすると更に有効である。
　【００８１】
　減圧孔の開閉は、開閉弁や開閉を制御する球体、平板等が電気的、磁気的に、重力を用いて、又、保持部分の回転によってなど各種の力を利用して行うことができる。
　【００８２】
▲７▼　光学的書込み手段としてはレーザー光（半導体レーザー、ガスレーザー）、ＬＥＤ、キセノン光源、ハロゲンランプ等、熱に変換され易い光源が好ましい。
　【００８３】
　【発明の効果】
　本発明の光学的熱転写書込み装置によれば、熱転写供与媒体と熱転写受容媒体が均一に密着され、むらの無い良好な転写画像が得られる。
【図面の簡単な説明】
　【図１】本発明の熱転写供与媒体（ａ）及び熱転写受容媒体（ｂ）の層構成を示す断面図
　【図２】本発明の光学的熱転写書込み装置の全体構成図
　【図３】本発明の保持部分が円筒ドラムの場合の熱転写供与媒体と熱転写受容媒体の重ね合せを示す斜視図
　【図４】円筒ドラム上での熱転写供与媒体と熱転写受容媒体の密着状態を示す斜視図
　【図５】保持部分（円筒ドラム）の内部構造を示す断面図
　【図６】減圧孔の開閉手段の一例を示す断面図
　【図７】熱転写供与媒体を皺を作らずに円筒ドラムに巻き付ける好ましい一例を示す断面図
　【符号の説明】
　　１　圧力ロール
　　２　減圧孔（２−１は開いた減圧孔、２−２は閉じた減圧孔）
　　３　熱転写供与媒体（３−１：イエロー供与媒体、３−２：マゼンタ供与媒体、３−３：シアン供与媒体、３−４：ブラック供与媒体）
　　４　熱転写受容媒体
　　５　供与媒体補給手段
　　６　受容媒体補給手段
　　７　保持部分
　　８　光学的書込み手段
　　９　匡体
　１０　減圧孔弁
　１１　減圧孔カバー